(57)【要約】【課題】  カウント時間の短縮、インプット作業の排除、人為的に発生するミスなどが生じない印刷良紙カウント方法とシステムを提供する。【解決手段】  スタッカ４に送り込まれる印刷物Ｐ３の部数を計数するスタッカ通過検出器５、スタッカ４から排出される損紙Ｐ６の重量を計測する損紙重量部数計８、スタッカ４に送られるまでの間に排出された印刷紙から救済された印刷物Ｐ５の重量を計測する救済正紙重量部数計６、及び、印刷正紙残部数管理装置１０からなる。印刷正紙残部数管理装置１０は、印刷予定部数からスタッカ通過検出器５が計数した印刷物Ｐ３の部数と、救済正紙重量部数計６からの信号による救済正紙部数と、スタッカ４に送られるコンベア３上に載っているとして予め定めた印刷部数とを減算するとともに、損紙重量部数計８からの信号による損紙部数を加算して印刷正紙残部数を算出する。【選択図】      図１
2009262432.tif 000002
【特許請求の範囲】
【請求項１】
印刷予定部数に対する印刷正紙残部数を算出するための印刷正紙残部数カウント方法であって、スタッカに送られる印刷済み正紙の部数Ａ、スタッカ受け入れ後の正紙から出された損紙の重量Ｂ、および前記スタッカに送られるまでの間に排出された印刷紙からの救済正紙の重量Ｃを計測し、印刷予定部数に対し、前記正紙の部数Ａ、前記救済正紙の重量Ｃを基に算出された印刷正紙部数及びスタッカに送られるコンベア上に載っているとして予め定めた印刷部数を減算するとともに前記損紙の重量Ｂを基に算出された損紙部数を加算して印刷正紙残部数を算出することを特徴とする印刷正紙残部数カウント方法。
【請求項２】
前記正紙の部数Ａを、前記スタッカが印刷済み正紙を受け入れている間に印刷機から前記コンベアに送り出される印刷部数で検出することを特徴とする請求項１に記載の印刷正紙残部数カウント方法。
【請求項３】
印刷予定部数に対する印刷正紙残部数を算出するための印刷正紙残部数カウントシステムであって、スタッカに送られる印刷済み正紙の部数を計数するスタッカ送り込み印刷部数計数装置、スタッカ受け入れ後の正紙から出された損紙の重量を計測する損紙重量計測装置、前記スタッカに送られるまでの間に排出された印刷紙からの救済正紙の重量を計測する救済正紙重量計測装置、及び、印刷予定部数から前記スタッカ送り込み印刷部数計数装置により計数された正紙の部数と、前記救済正紙重量計測装置からの信号による救済正紙部数と、スタッカに送られるコンベア上に載っているとして予め定めた印刷部数とを減算するとともに、前記損紙重量計測装置からの信号による損紙部数を加算して印刷正紙残部数を算出する印刷正紙残部数管理装置を有することを特徴とする印刷正紙残部数カウントシステム。
【請求項４】
前記スタッカ送り込み印刷部数計数装置が、前記スタッカへの印刷物送り込みを検知するセンサーと印刷機からの印刷部数を検出する印刷部数計数装置とを有し、前記センサーが印刷物送り込みの検知信号を出している間に前記印刷部数計数装置が計数する印刷部数を計数するように構成されていることを特徴とする請求項３に記載の印刷正紙残部数カウントシステム。
【請求項５】
前記スタッカ送り込み印刷部数計数装置、前記損紙重量計測装置、及び前記救済正紙重量計測装置からの出力信号がオンラインで前記印刷正紙残部数管理装置に送られる構成としたことを特徴とする請求項３又は４に記載の印刷正紙残部数カウントシステム。
【発明の詳細な説明】
【技術分野】
【０００１】
本発明は、印刷正紙部数（製品として出荷できる印刷物の部数）を検知して、印刷予定部数に対する印刷正紙の残部数を刻々と算出するための印刷正紙残部数カウント方法および印刷正紙残部数カウントシステムに関する。
【背景技術】
【０００２】
印刷を行う場合、印刷作業中に作業者が印刷物の品質を確認するため印刷物を搬送途中に抜き取ったり、印刷紙巻取ロールの切り替えによって生じた紙継ぎ部の前後における印刷物を排出したり、印刷物搬送コンベア上やスタッカなどで紙詰まりを起こした印刷物を排出したり、梱包製品から不良品を除去したりするので、印刷物搬送ライン中に設置された印刷部数計測装置の情報に基づいて算出した印刷部数より少ない印刷正紙部数となる。  また、上記したように一旦はラインから抜き取ったり排出された印刷物の中から印刷正紙になり得るものを印刷正紙として戻すことも行われ、印刷部数と印刷正紙部数との間には出入りが生ずる。
【０００３】
印刷を行う場合は、上記した印刷紙巻取ロールの紙継ぎ部などで生ずる損紙部数などを考慮した余分の部数を印刷予定部数として設定するが、印刷中に生ずる損紙の部数が予想より多数発生すると、印刷終了後に必要部数に満たないことが起り、その場合には追い刷りを行わなければならない。また、印刷部数が必要部数に満たないことが判明する時間が遅れると再印刷のために刷版からやり直すことが必要になる。従って、印刷作業中、どれだけの損紙が生じているかを刻々と把握して印刷残部数を知ることが求められる。
【０００４】
印刷残部数を把握するため、従来は、印刷後に抜き取られたり排出された損紙部数を人手で数えて印刷部数管理装置にインプットすることが行われ、その場合に生ずるインプットミスや、作業の輻輳に伴って発生するインプット遅れなどにより、インプットされた情報が印刷部数管理に反映されずに余分な印刷が生じて損紙が拡大したりすることがあった。このような余分な損失発生を回避するために従来も種々の印刷部数管理策が提案されている。例えば、印刷運転中に目標印刷部数を補正すべき事由が発生したら、その補正部数に応じて目標部数を入力して補正し、正紙の印刷部数が目標印刷部数に応じた所定数に達したら印刷運転を終了するようにする印刷管理手法（特許文献１）や、印刷予定部数を入力して記憶させ、印刷機から出る印刷部数を検出して入力し印刷予定部数から減算し印刷残部数を算出、印刷機の駆動速度を検出しそれから印刷終了までの時間を演算して印刷機の自動減速と停止指令を出すようにする運転システム（特許文献２）などが提案されている。
【０００５】
このように、従来の印刷部数管理では、人為的に計数した結果を数値インプットする作業が必要である上、人手による部数の計数を行う場合にはインプットミスなどの人的なミスが入り易く、しかも、その人為的に得られた印刷正紙の情報も、タイミング上、印刷部数管理に反映できない場合が生じて、必要印刷部数より多い余分な部数の印刷を行って損紙発生を多くしてしまうという問題があった。また、人為的に得られた印刷正紙の情報が生かされずに印刷正紙が必要部数に満たない事態が生じたときには追い刷りが必要になって、追い刷りために損失が拡大することが生ずるという問題があった。
【特許文献１】特開２００４−２４９６９９号公報
【特許文献２】特開２００１−２１９５４４号公報
【発明の開示】
【発明が解決しようとする課題】
【０００６】
従来の印刷正紙残部カウント技術では、上記したように部数管理に手間が掛かる上、ミスが入り易く、それに伴う損失が発生し易いものであったことに鑑み、本発明は従来の印刷正紙残部数管理技術に見られた上記問題点を解消し、カウント時間の短縮、インプット作業の排除、人為的に発生するミスや損紙発生、追い刷りの無駄が生じない印刷正紙残部数カウント方法と印刷正紙残部数カウントシステムを提供することを課題としている。
【課題を解決するための手段】
【０００７】
本発明は前記した課題を解決するための、印刷予定部数に対する印刷すべき印刷正紙残部数を算出する印刷正紙残部数カウント方法として、スタッカに送られる印刷済み正紙の部数Ａ、スタッカ受け入れ後の正紙から出された損紙の重量Ｂ、および前記スタッカに送られるまでの間に排出された印刷紙からの救済正紙の重量Ｃを計測し、印刷予定部数に対し、前記正紙の部数Ａ、前記救済正紙の重量Ｃを基に算出された印刷正紙部数及びスタッカに送られるコンベア上に載っているとして予め定めた印刷部数を減算するとともに前記損紙の重量Ｂを基に算出された損紙部数を加算して印刷正紙残部数を算出することを特徴とする印刷正紙残部数カウント方法を提供する。
本発明による印刷正紙残部数カウント方法においては、前記正紙の部数Ａを、前記スタッカが印刷済み正紙を受け入れている間に印刷機から前記コンベアに送り出される印刷部数で検出することができる。
【０００８】
また、本発明は前記した発明の課題を解決するための、印刷予定部数に対する印刷すべき印刷正紙残部数を算出するための印刷正紙残部数カウントシステムとして、スタッカに送られる印刷済み正紙の部数を計数するスタッカ送り込み印刷部数計数装置、スタッカ受け入れ後の正紙から出された損紙の重量を計測する損紙重量計測装置、前記スタッカに送られるまでの間に排出された印刷紙からの救済正紙の重量を計測する救済正紙重量計測装置、及び、印刷予定部数から前記スタッカ送り込み印刷部数計数装置により計数された正紙の部数と、前記救済正紙重量計測装置からの信号による救済正紙部数と、スタッカに送られるコンベア上に載っているとして予め定めた印刷部数とを減算するとともに、前記損紙重量計測装置からの信号による損紙部数を加算して印刷正紙残部数を算出する印刷正紙残部数管理装置を有することを特徴とする印刷正紙残部数カウントシステムを提供する。
【０００９】
本発明による印刷正紙残部数カウントシステムにおいては、前記スタッカ送り込み印刷部数計数装置として、前記スタッカへの印刷物送り込みを検知するセンサーと印刷機からの印刷部数を検出する印刷部数計数装置とを有し、前記センサーが印刷物送り込みの検知信号を出している間に前記印刷部数計数装置が計数する印刷部数を計数するように構成されたものを採用することができる。
更にまた、本発明による印刷正紙残部数カウントシステムにおいては、前記スタッカ送り込み印刷部数計数装置、前記損紙重量計測装置、及び前記救済正紙重量計測装置からの出力信号がオンラインで前記印刷正紙残部数管理装置に送られる構成とすることができる。
【発明の効果】
【００１０】
本発明による印刷正紙残部数カウント方法においては、スタッカに送られるまでの間に排出された損紙から正紙として救済された救済正紙の重量と、スタッカ受け入れ後に出された損紙の重量を計測して、その重量を基に算出された、救済正紙部数と損紙部数を用いて印刷正紙残部数を算出するので、損紙部数や救済正紙部数を人為的に数えたり、人為的に入力したりすることを行なう必要がない。従って、人手により印刷部数を数える手間や、補正データの入力に要する時間や入力ミスを省くことができるとともに、人手による計数や補正データのインプットに伴うミスを排除することができる。
また、本発明において計数する損紙部数と救済正紙部数は、発生した損紙と救済正紙の重量を計測し、その重量を基にして得るようにしているので、従来のように損紙部数や救済正紙部数を計数するために損紙や救済正紙を揃える必要がなく、排出されたままの乱雑な状態の印刷物の重量をそのまま計量するようにすればよいので作業量と作業時間が大幅に削減される。
【００１１】
更に、一旦は損紙として排出された損紙から正紙たりうるとして救済された救済正紙や、一旦は正紙としてカウントされたものの中から損紙として排出されものがどこでどれだけ発生しても、それらの正紙部数と損紙部数は、重量を計量して得られたデータとなって迅速に伝達されて印刷正紙残部数管理に活かすことができる。従って、損紙発生部数を余分に見込んで印刷必要部数を設定しなくてよいので、印刷を効率的に行うことができる。このように、本発明によれば、一旦は損紙として排出された印刷紙から救済正紙として出されたものや、一旦は印刷正紙としてカウントされた印刷正紙から損紙として排出された印刷物については、重量が計測され、その重量を基にして得た印刷部数が速やかに印刷正紙残部数の計数に反映される。
【００１２】
また、本発明による印刷正紙残部数カウントシステムでは、スタッカに送られるまでの間に排出された損紙から正紙として救済された印刷正紙の重量を計測する救済正紙重量計測装置と、スタッカ受け入れ後の正紙から出された損紙の重量を計測する損紙重量計測装置とからの信号による印刷部数情報をそのままオンラインで伝達して、前記した本発明による印刷正紙残部数のカウント方法を確実、かつ、迅速に実施可能である。
【発明を実施するための最良の形態】
【００１３】
以下、本発明による印刷正紙残部数カウント方法および印刷正紙残部数カウント装置について添付図面に示した実施例により具体的に説明する。図において、１は印刷機を示しており、２はその印刷機１の作動を制御する印刷機制御装置を示している。印刷機１によって印刷された印刷物Ｐ１はコンベア３によってスタッカ４に送られる。コンベア３はコンベア３−１、３−２、３−３の３つのコンベア部から構成されており、コンベア部３−２は、コンベア部３−１と３−３の間に配置されていて、印刷機１からコンベア３により搬送途中の印刷物Ｐ１が印刷紙の巻取ロールにおける紙継ぎ部に当たる部分を損紙Ｐ２として排出するために図示しているように排出位置を取る構造となっている。コンベア３上に載って搬送途中の印刷物Ｐ１の部数は予め定められた所定数として把握される。コンベア３の出口には、スタッカ通過検出機５が配置されていて、このスタッカ通過検出機５は、本発明にいうスタッカ送り込み印刷部数計数装置を構成している。スタッカ通過検出機５は、コンベア３からスタッカ４に送り込まれる印刷物Ｐ３の部数を例えば、印刷物１部に対して１パルスを発生してカウントし、そのカウント数をスタッカ通過検出数を示す信号Ｓ１として発生する。
【００１４】
コンベア３により搬送途中の印刷物Ｐ１からは、印刷状態を検査するために検紙として抜き取られるものがあり、その検紙のため抜き出される印刷物をＰ４で示してある。６は救済正紙重量部数計であり本発明にいう救済正紙重量計測装置を構成している。救済正紙重量部数計６には、印刷正紙たり得ないとして搬送ラインから抜き出された損紙Ｐ２の中からと、検紙のために抜き出される印刷物Ｐ４の中から、印刷正紙として戻してよいと判断され印刷正紙として選別して救済された印刷物Ｐ５が載せられる。救済正紙重量部数計６は、上記したように損紙Ｐ２からと、検紙のために抜き出される印刷物Ｐ４から、それぞれ救済された救済正紙の重量を計測し、その重量に相当する救済印刷部数を算出する。７は救済正紙重量部数計６の通信部で、救済正紙重量部数計６で算出した救済正紙の部数を救済正紙部数を示す信号Ｓ２として発生する。
【００１５】
一方、スタッカ４に送り込まれた印刷物Ｐ３からは、紙詰まりなどが起ってスタッカ４から印刷正紙になりえないとして排出される損紙が生ずることがあり、そのようにスタッカ４から排出される損紙がＰ６で示されている。８は損紙重量部数計を示し、これは本発明にいう損紙重量計測装置を構成している。この損紙重量部数計８は、印刷正紙になりえないとしてスタッカ４から排出される損紙Ｐ６が載せられ、その重量を計測し、その重量に相当する損紙部数を算出する。９は損紙重量部数計８の通信部で、損紙重量部数計８で算出した損紙の部数を損紙部数を示す信号Ｓ３として発生する。Ｐ７は、スタッカ４が受け入れた印刷正紙Ｐ３から排出された印刷正紙と救済正紙重量部数計６から計量を終えて排出される救済正紙Ｐ５からなる製品としての印刷正紙を示している。Ｐ８は、コンベア３による搬送途中にコンベアから損紙Ｐ２として排出されたあと救済正紙Ｐ５側に戻されるものを除かれた損紙と、検紙Ｐ４として抜き取られたものから救済正紙Ｐ５側に救済されたものを除いた検紙Ｐ４から出る損紙と、損紙重量部数計８から計量を終えて排出される損紙とを示している。
【００１６】
１０は印刷正紙残部数管理装置を示している。また、印刷正紙残部数管理装置１０は、インプット信号、アウト信号の授受を行うＩ／Ｏインタフェース部１１を備えている。印刷正紙残部数管理装置１０は、演算処理部１２と記憶部１３を有しており、これら及びＩ／Ｏインタフェース部１１の間で情報が伝達されるように構成されている。また、印刷正紙残部数管理装置１０はパルスカウンタ１４を備え、スタッカ通過検出器５が検出したスタッカ４に送り込まれた印刷部数を示す信号Ｓ１としてのパルス信号を受け、そのパルス数をＩ／Ｏインタフェース１１部へ伝える。印刷正紙残部数管理装置１０は通信部１５を備え、救済正紙重量部数計６の通信部７および損紙重量部数計８の通信部９との間で通信を行い、救済正紙重量部数計６の通信部７からの救済正紙部数を示す信号Ｓ２と、損紙重量部数計８の通信部９からの損紙部数を示す信号Ｓ３とを受け取ってＩ／Ｏインタフェース１１部へ伝える。また、Ｉ／Ｏインタフェース部１１には、算出された印刷正紙残部数などを表示する表示部１６、印刷正紙残部数の算出に必要な情報を入力する操作入力部１７、および印刷正紙残部数が所定値に達したことを示す警報などを発する警報出力部１８が接続されている。
【００１７】
以上の構成を有している印刷正紙残部数管理装置１０では、Ｉ／Ｏインタフェース部１１がスタッカ通過検出数を示す信号Ｓ１に基づくパルスカウンタ１４からのパルス数、通信部１５が受けた救済正紙部数を示す信号Ｓ２とスタッカ４から出る損紙部数を示す信号Ｓ３、および操作部１７から操作員によって入力される印刷機の制御に必要な情報を受ける。記憶部１３には、操作部１７から入力される印刷予定部数Ｓ０、印刷予定部数Ｓ０に対して所定の印刷部数に達して印刷機１に減速信号を与えるべき印刷部数、および印刷機１を出てコンベア３の上にあってスタッカ４へ搬送されている途中でスタッカ通過検出器５によって検出される前のコンベア３により搬送途中の印刷物Ｐ１の部数として予め定められたコンベア補正部数Ｓ４などが記憶される。演算処理部１２は、Ｉ／Ｏインタフェース部１１を介して与えられる印刷予定部数Ｓ０、スタッカ通過検出器５が検出したスタッカ通過部数を示す信号Ｓ１、救済正紙重量部数計６から出る救済正紙部数を示す信号Ｓ２、損紙重量部数計８から出る損紙部数を示す信号Ｓ３、および印刷機１を出てコンベア３の上にあってスタッカ４へ搬送されている途中でスタッカ通過検出器５によって検出される前のコンベア３により搬送途中の印刷物Ｐ１の部数として予め定められたコンベア補正部数Ｓ４に基づいて次の数式（１）の演算を行う。
ＳＸ＝Ｓ０−Ｓ１−Ｓ２＋Ｓ３−Ｓ４・・・（１）
【００１８】
この演算によって得られたＳＸが、記憶部１３に記憶されている予め定めた印刷予定部数Ｓ０を基にして、警報出力部１８から印刷機制御装置２に印刷機１の印刷動作を制御する信号が与えられる。こうして、スタッカ４を通過した印刷部数に対して、救済正紙重量部数計６が計数した救済正紙部数とスタッカ４へ搬送途中の印刷物のコンベア補正部数とを加え、損紙重量部数計８が計測した損紙部数を引いた値が、印刷予定部数に対して予め定めた値になると、印刷機制御装置２に対して減速信号が出されるとともに、上記値が印刷予定数になると、印刷機１は停止される。
このようにして、図示した装置によれば、印刷機１からスタッカ４へ搬送される間に排出された損紙から救済された印刷物Ｐ５と、スタッカ４から排出される損紙Ｐ６とは、それぞれ、そのまま単に救済正紙重量部数計６と損紙重量部数計８とに載せることによって、正紙として救済された印刷物Ｐ５の部数とスタッカ４から排出される損紙Ｐ６の部数とが得られ、これら部数によって印刷正紙残部数が算出され、それに基づいて印刷機１の運転が制御される。
【００１９】
以上図示した装置では、スタッカ４へ送り込まれる印刷物をスタッカ通過検出器５で検出してスタッカ４に受け入れられる印刷正紙部数をカウントする構成としているが、図１において印刷機１内に符号２０で示してある折帳通過検出器のように、印刷機１から送り出される折帳などコンベア３に送り込まれる印刷物Ｐ１の部数を検出する検出器を設けた構成のものに対しても本発明を適用することができる。この場合には、スタッカ４に印刷正紙が送り出されるのを検出するセンサーを設け、そのセンサーがスタッカ４への紙送りあり、を検出している間に印刷機１から送り出される印刷部数をカウントする構成とする。この構成を採用することによって、印刷機１からスタッカ４へ送り出される印刷部数をカウントした信号を用い、図示したスタッカ通過検出器５を用いた場合と同様にして印刷正紙残部数をカウントし、上記したと同様に警報出力部１８から印刷機制御装置２へ減速開始警報信号などの印刷機制御信号を発することができる。
【００２０】
以上、本発明を実施の態様について具体的に説明したが、本発明はこれに制限されるものではなく、種々の変更を加えてよいことはいうまでもない。
例えば前記した実施例では、救済正紙重量部数計６と損紙重量部数計８は、それぞれ、救済正紙と損紙の重量を測って、その計測した重量に相当する印刷部数を算出する構成のものを採用しているが、これらの救済正紙重量部数計６と損紙重量部数計８は、それぞれ、救済正紙と損紙の重量を計測するだけの構成のものとし、その計量した重量を印刷正紙残部数管理装置１０に送り、その重量信号を受けた印刷正紙残部数管理装置１０で、それらの重量に相当する救済正紙部数と損紙部数とを算出する構成としてもよい。
【００２１】
また、図示した装置では、スタッカ通過検出器５からのスタッカ通過検出数を示す信号Ｓ１、救済正紙重量部数計６が検出した救済正紙部数を示す信号Ｓ２と損紙重量部数計８が検出したスタッカ４から出る損紙部数を示す信号Ｓ３を印刷正紙残部数管理装置１０に有線で連絡する構成としてあるが、これらの信号は無線で通信する構成としてもよい。また、印刷正紙残部数管理装置１０としては、スタッカ通過検出器５からのスタッカ通過検出部数を示す信号Ｓ１、救済正紙部数を示す信号Ｓ２、およびスタッカ４から出る損紙部数を示す信号Ｓ３、およびコンベア補正部数Ｓ４を用いて、数式１によって印刷正紙残部数ＳＸを算出する構成のものであれば、図示した構成以外の適宜の構成のものを採用してよい。
【図面の簡単な説明】
【００２２】
【図１】本発明の実施例による印刷正紙残部数カウント装置の全体構成を示す説明図。
【符号の説明】
【００２３】
１    印刷機
２    印刷機制御装置
３    コンベア
４    スタッカ
５    スタッカ通過検出器
６    救済正紙重量部数計
７    救済正紙重量部数計の通信部
８    損紙重量部数計
９    損紙重量部数計の通信部
１０  印刷正紙残部数管理装置
１１  Ｉ／Ｏインタフェース部
１２  演算処理部
１３  記憶部
１４  パルスカウンタ
１５  通信部
１６  表示部
１７  操作入力部
１８  警報出力部
２０  折帳通過検出器
Ｓ１  スタッカ通過検出数を示す信号
Ｓ２  救済正紙部数を示す信号
Ｓ３  スタッカから出る損紙部数を示す信号
Ｓ４  コンベア補正部数
Ｐ１  コンベアにより搬送途中の印刷物
Ｐ２  損紙
Ｐ３  スタッカに送り込まれる印刷物
Ｐ４  検紙のため抜き出される印刷物
Ｐ５  救済された印刷物
Ｐ６  スタッカから排出される損紙
Ｐ７  製品としての印刷正紙
Ｐ８  損紙
【図１】
2009262432.tif 000003